(57)【要約】本発明は扁平な郵便物を起立させる位置でスタックする細いスタッキングコンパートメントであって、スタッキングベース（３１）と、スタッキング位置と、ほぼ水平なスタッキング方向に移動可能で、郵便物スタックを保持するスタックサポートとを有している形式のものに関する。スタッキング方向でスタッキング位置の前には、同様にスタッキング方向に移動可能でかつ駆動された押しユニット（３４）がスタッキングコンパートメントを空にするために配置されている。この場合、空にするためには押しユニットの駆動装置（３５）は、押しユニット（３４）がスタックをスタッキングベース（３１）を越えて迅速に移動させるように制御可能で、スタックサポート（３２）の駆動装置（３３）は、スタックサポート（３２）がスタッキングコンパートメントを空にする工程の経過で押しユニット（３４）よりも大きな距離を移動するように制御可能である。
2006516471.tif 000002
【特許請求の範囲】
【請求項１】
扁平な郵便物を起立させた位置でスタックする細いスタッキングコンパートメントであって、スタッキングベース（３１）と、該スタッキングベース（３１）に対し垂直で、スタッキングコンパートメント（２３）内で郵便物（２）が接触するスタッキング壁と、郵便物（２）をスタッキングコンパートメント（２３）へ導入するスタッキング位置と、ほぼ水平なスタッキング方向で前記スタッキング壁に沿って移動可能で、郵便物スタックを保持するスタックサポート（３２）とを有し、スタッキングコンパートメントを空にする工程以外で、成長するスタック厚さに応じてスタックサポート（３２）がスタッキング位置から離反可能であり、スタッキングコンパートメント（２３）がスタッキング位置とは反対側の端部で開放している形式のものにおいて、スタッキング方向でスタッキング位置の前に、駆動装置（３５）により同様にスタッキング方向に移動可能な押しユニット（３４）が、スタッキングコンパートメント（２３）を空にするために配置されており、スタッキングコンパートメント（２３）を空にするために押しユニット（３４）が幅の狭まいスタックに向かって移動しかつスタックをスタッキングベース（３１）を越えて迅速に移動させるように、押しユニット（３４）の駆動装置（３５）が制御され、スタッキングコンパートメント（２３）を空にする工程の経過中にスタッキングコンパートメント（３２）が押しユニット（３４）よりも大きな距離を移動するようにスタックサポート（３２）の駆動装置（３３）が制御可能であることを特徴とする、扁平な郵便物のための細いスタッキングコンパートメント。
【請求項２】
スタッキングコンパートメント（２３）に充填レベルセンサが存在し、規定されたスタック厚さに達した場合にスタッキングコンパートメントを空にする信号を該充填レベルセンサが発し、該信号が押しユニット（３４）とスタックサポート（３２）との駆動制御装置（３３，３５）に伝達される、請求項１記載のスタッキングコンパートメント。
【請求項３】
スタッキングコンパートメント（２３）がその開放端部にて、スタッキング方向でスタッキングベース（３１）の下側に、スタッキングコンパートメント（２３）から郵便物スタックを受取る受取装置（２４，３６）を備えている、請求項１記載の細いスタッキングコンパートメント。
【請求項４】
押しユニット（３４）の駆動装置（３５）が制御され、スタッキングコンパートメント（２３）の開放端部にて押しユニット（３４）、ひいては郵便物スタックに加速力が生ぜしめられ、該加速力が郵便物（２）の慣性と郵便物間の摩擦とに基づいて、郵便物スタックがスタッキングベース（３１）の端部を越えて移動する間及び郵便物スタックが受取装置（２４，３６）の上に落下する間、郵便物スタックの内部に著しいフォーメーション変化が許されないようになっている、請求項３記載の細いスタッキングコンパートメント。
【請求項５】
並んで位置する複数のスタッキングコンパートメント（２３）のために受取装置（２４，３６）として、スタッキングコンパートメント（２３）を空にする方向で垂直な位置から傾斜した区分搬送コンベア（２４）が、郵便物スタックを走出ユニットへ搬送するために設けられており、前記区分搬送コンベア（２４）の下方の側方制限部に、幅の狭まい搬送路（３６）がほぼ９０°の角度だけ傾けられて配置されており、該搬送路（３６）に郵便物（２）が狭幅側で支えられており、前記区分搬送コンベア（２４）が、すべてのスタッキングコンパートメント（２３）が空にされるまで静止させられるようになっており、各スタッキングコンパートメント（２３）に１つの区分が対応配置されており、すべてのスタッキングコンパートメント（２３）が空にされたあとで前記区分コンベア（２４）が移動させられる、請求項１記載のスタッキングコンパートメント。
【発明の詳細な説明】
【技術分野】
【０００１】
本発明は請求項１の上位概念として記載した扁平な郵便物のための細いスタッキングコンパートメントに関する。
【０００２】
郵便物を郵便配達人の配達点まで分配順序で選別しようとすると、最後の選別過程のためには、郵便物量に基づき、郵便物が選別される細いスタッキングコンパートメントしか必要ではない（ＪＰ−０９−８６７７１Ａ号明細書）。次いでこの郵便配達人又は他の郵便配達人の次の分配区分を選別するためにはスタッキングコンパートメントはできるだけ迅速にかつ簡便に空にされなければならない。
【０００３】
これに関連して扁平な郵便物のためのスタッキングコンパートメントを空にするためにスタックを挟持しかつ押出すための押しユニットとスタックサポートとを設けることが公知である（ＷＯ９７／３６５２３Ａ１号明細書）。
【０００４】
本発明の課題は、冒頭に述べた形式の細いスタッキングコンパートメントを改良して、迅速に自動的に空にすることができ、連続するスタッキングコンパートメントからの郵便物スタックの搬送が、後続処理のためにスタックフォーメーションをできるだけ良好に維持して行なわれるようにすることである。
【０００５】
本発明によればこの課題は、請求項１の特徴によって解決された。この場合にはスタッキング方向で見てスタッキング位置の前には、スタッキング方向に移動可能でかつ駆動された押しユニットがスタッキングコンパートメントを空にするために配置されている。スタッキングコンパートメントを空にするためには押しユニットの駆動装置は、押しユニットが細いスタックに向かって動かされ、スタックがスタッキングベースを越えて迅速に移動させられるように制御可能でかつスタックサポートの駆動装置は、スタッキングコンパートメントを空にする過程が経過する間、スタックサポートが押しユニットよりも大きな距離を移動するように制御可能である。これによって細いスタックは迅速にスタッキングコンパートメントからスタッキングベースを越えて移動させられる。この場合、スタッキングコンパートメントを空にする間、押しユニットとスタックサポートとの間のスタックの締付け力は解消され、スタックは落下することができる。
【０００６】
本発明の有利な実施例は、請求項２以下に示されている。
【０００７】
スタッキングコンパートメントには充填レベルセンサが設けられ、スタックが規定されたスタック厚さに達した場合にスタッキングコンパートメントを空にする信号が前記充填レベルセンサにより発せられるようになっていると有利である。この信号は押しユニットとスタックサポートとの駆動制御装置に伝送され、相応の運動過程を開始させる。これにより各スタッキングコンパートメントの通過も阻止される。さらにスタッキングコンパートメントの外側でその開放端部にて、スタッキング方向でスタッキングベースの下側に、郵便物スタックをスタッキングコンパートメントから受取る受取装置を備えていると有利である。さらに特に有利であることは、押しユニットの駆動装置が制御されて、スタッキングコンパートメントの開放端部にて押しユニット、ひいては郵便物スタックに加速力が生ぜしめられ、該加速力が郵便物の慣性と郵便物間の摩擦とに基づいて、郵便物スタックがスタッキングベースの端部を越えて移動する間及び郵便物スタックが受取装置の上に落下する間、郵便物スタックの内部に著しいフォーメーションの変化が許されないように構成されていることである。
【０００８】
隣り合って複数のスタッキングコンパートメントが存在している場合には、受取装置として、スタッキングコンパートメントを空にする方向で見て垂直な位置から傾斜した区分搬送コンベアが、走出ユニットへ郵便物スタックを搬送するために設けられており、前記区分搬送コンベアの下方の側方制限部に、幅の狭まい搬送路がほぼ９０°の角度だけ傾けられて配置されており、該搬送路に郵便物が狭幅側で支えられていることによって郵便物相互の配向と位置決めとが保証されている。全部のスタッキングコンパートメントが空にされていない間は、区分搬送コンベアは静止している。この場合には１つの区分には１つのスタッキングコンパートメントが対応配置されている。すべてのスタッキングコンパートメントを区分搬送コンベアの上に空にしたあとで区分搬送コンベアは動かされる。
【０００９】
次いで本発明を図示の１実施例に基づき説明する。
【００１０】
図１は郵便物が分岐路を介してスタッキングコンパートメントへ導かれる２つのカスケード化された選別機の斜視図である。
【００１１】
図２ａ，ｂはスタッキングコンパートメントを空にする装置と選別された郵便物スタックを搬送する区分搬送コンベアと共に、一杯のスタッキングコンパートメント（ａ）と、空にされたスタッキングコンパートメント（ｂ）とを示した図である。
【００１２】
実施例では所定地域のための郵便物が個々の配達点に選別される。これは郵便物が分岐器を介して最終位置に達する２つの選別機１０，２０で行なわれる。ローラ搬送路１１を介して郵便物容器１２は、分配地域の郵便物と共に、第１の選別機１０の入口部分に供給される。この入口部分はフィーダベット１３と個別化装置１４とから成っている。そこで郵便物容器１２から郵便物はおろされ、郵便物はフィーダベット１３の上に起立させられる。郵便物スタックは次いで、連続的に個別化装置１４へ向かって移動させられ、そこでそれぞれ最先端の郵便物が引出される。方向付けと目的地アドレスの読取り後に、個別化された郵便物はレター走行区間１５を介してセンサ部分１６に供給される。該センサ部分１６にて郵便物は読取られた目的地アドレスに応じて制御された分岐器を介して、並んで位置する、スタッキングコンパートメント１７として構成された最終位置に選別される。各スタッキングコンパートメント１７には配達点の所定のグループが対応させられている。
【００１３】
現今の地域のためのすべての郵便物が選別されるとスタッキングコンパートメント１７の郵便物が郵便物容器１２に空けられる。この郵便物容器１２は別の搬送ローラ路１８を介して第２の選別機２０の入口部１９へ搬送される。この選別機２０においては郵便物はレター走行区間２１の後で選別部２２において郵便物グループ形式で個々の配達点に分配順序で選別される。すなわち、並んで隣り合って位置する、スタッキングコンパートメント２３として構成された最終位置は、分配順序で配達点に対応配置されている。空にされた郵便物容器は上方の搬送路２５を介して第１の選別機１０に再び供給され、選別された郵便物グループがスタッキングコンパートメント１７から積込まれる。第２の選別機２０においては各配達点に１つのスタッキングコンパートメント２３が対応配置され、したがって各スタッキングコンパートメント２３のための郵便物の量が比較的にわずかであるので、スタッキングコンパートメント２３は限られた容量（約３０−５０ｍｍ長さ）しか有していない。
【００１４】
第１の選別機１０においては各郵便物の目的地アドレスも厚さも検出されるので、所定の配達点のために郵便物の総厚さが１つのスタッキングコンパートメントの容量を越えた場合にはこれは判別される。この場合には前記配達点には２つ以上のスタッキングコンパートメントが対応配置される。起立する郵便物１２を有するスタッキングコンパートメント２３を区分搬送コンベア２４に空けることは自動的に行なわれ、図２ａとｂとに詳細に示されている。図示の如く郵便物２はスタッキングローラ３０を使用してスタッキング位置にて側方へ図示されていない衝突壁に当たるまで最終位置としてのスタッキングコンパートメント２３内へ導入され、そこでスタッキングベース３１の上に起立した位置に、駆動されたスタックサポート３２のより保持される。スタッキング過程を改善するためにはスタッキングローラ３０に他に別の手段、例えばＥＰ０１４３８１８Ｂ１号明細書に記載されているような手段が用いられることができる。スタック厚さが増大するにつれてスタックサポート３２は、測定された郵便物厚さに応じて（スタックサポート３２の駆動装置３３によって駆動されて）又は所定のスタック圧に相応して図示されていないばねのばね力に抗してスタッキング位置から遠ざけられる（最大工程＝コンパートメント深さ）。予定されたすべての郵便物がスタッキングコンパートメント２３に在ると、スタックサポート３２と、静止状態でスタッキング方向でスタッキング位置の前にある押しユニット３４とが一緒に、スタッキング位置から遠ざかる方向に、スタッキングコンパートメント２３の開放端部を越えて外へ動かされる。
【００１５】
スタックサポート３２と押しユニット３４との比較的に迅速な運動は相応の駆動装置３３，３５によって与えられる。この場合、スタックサポート３２の方が大きい距離を移動し、これによってスタックの締付け力が除かれる。駆動装置３３，３５は公知のように例えばリニア駆動装置又はラック駆動装置として構成されていることができる。押しユニット３４は、すべての郵便物フォーマットの面にできるだけ一様な力が導入され得るように構成されている。迅速な運動とそれに基づくスタックに対する衝撃的な力の導入とによって、スタックは慣性力に基づき大きなフォーメーション変化なしで短いコンパートメントベース３１の縁を越えて移動させられる。スタックの締付けが除かれるのでスタッキングコンパートメント２３の外側でスタッキングベース３１の下側にあって、スタッキングコンパートメントを空にする方向に垂直状態から傾斜した、静止した区分搬送コンベア２４の上に、スタックは重力に基づき、郵便物スタックを走出ユニットに向かって搬送するために落下する。区分搬送コンベア２４から郵便物が下へ滑落しないようにその下方の側方制限部には、幅の狭まいローラ路として構成された搬送路３６がほぼ９０°の角度で傾けられて配置されている。この搬送路３６の上に郵便物２はその狭幅側で支えられる。すべてのスタッキングコンパートメント２３が空にされると、区分搬送コンベア２４はすべての郵便スタックが走出ユニットに引渡されるまで動かされる。
【図面の簡単な説明】
【００１６】
【図１】郵便物が分岐器を介してスタッキングコンパートメントへ導かれる２つのカスケード化された選別機の斜視図。
【図２】図２のａ，ｂはスタッキングコンパートメントを空にする装置と郵便物スタックを搬送する区分搬送コンベアと共に、一杯のスタッキングコンパートメント（ａ）と、空にされたスタッキングコンパートメント（ｂ）とを示した図。
【符号の説明】
【００１７】
１０  選別機
１１  ローラ搬送路
１２  郵便物容器
１３  フィーダヘッド
１４  個別化装置
１５  レター走行区間
１６  センサ部分
１７  スタッキングコンパートメント
１８  搬送ローラ路
１９  入口部
２０  選別機
２１  レター走行区間
２２  選別部
２３  スタッキングコンパートメント
２４  区分搬送コンベア
２５  搬送路
３０  スタッキングローラ
３１  スタッキングベース
３２  スタックサポート
３３  駆動装置
３４  押しユニット
３５  駆動装置
３６  搬送路
【図１】
2006516471.tif 000003
2006516471.tif 000004
2006516471.tif 000005
【手続補正書】
【提出日】平成16年11月27日(2004.11.27)
【手続補正１】
【補正対象書類名】特許請求の範囲
【補正対象項目名】全文
【補正方法】変更
【補正の内容】
【特許請求の範囲】
【請求項１】
扁平な郵便物を起立させた位置でスタックする細いスタッキングコンパートメントであって、スタッキングベース（３１）と、該スタッキングベース（３１）に対し垂直で、スタッキングコンパートメント（２３）内で郵便物（２）が接触するスタッキング壁と、郵便物（２）をスタッキングコンパートメント（２３）へ導入するスタッキング位置と、ほぼ水平なスタッキング方向で前記スタッキング壁に沿って移動可能で、郵便物スタックを保持するスタックサポート（３２）とを有し、スタッキングコンパートメント（２３）を空にする工程以外で、成長するスタック厚さに応じて前記スタックサポート（３２）が前記スタッキング位置から離反可能であり、スタッキングコンパートメント（２３）が前記スタッキング位置とは反対側の端部で開放しており、スタッキング方向で前記スタッキング位置の前に、スタッキングコンパートメント（２３）を空にするために駆動装置（３５）によって同様にスタッキング方向に移動可能な押しユニット（３４）が配置されており、スタッキングコンパートメント（２３）の外側にスタッキングコンパートメント（２３）の開放端部にてスタッキング方向でスタッキングベース（３１）の下側に、スタッキングコンパートメント（２３）から郵便スタックを受取る受取装置（２４，２６）が設けられている形式のものにおいて、スタッキングコンパートメント（２３）を空にするために前記押しユニット（３４）の駆動装置（３５）が制御可能で、前記押しユニット（３４）が幅の狭まいスタックに向かって動かされかつスタックがスタッキングベース（３１）を越えて迅速に移動可能で、スタックが前記受取装置（２４，２６）に落下できるようになっており、前記スタックサポート（３２）の駆動装置（３３）が制御可能で、スタックの移動工程で前記スタックサポート（３２）が前記押しユニット（３４）よりも大きな距離を移動できるようになっていることを特徴とする、扁平な郵便物のための細いスタッキングコンパートメント。
【請求項２】
スタッキングコンパートメント（２３）に充填レベルセンサが存在し、該充填レベルセンサが、規定されたスタック厚さに達した場合にスタッキングコンパートメントを空にする信号を発し、該信号が前記押しユニット（３４）とスタックサポート（３２）との駆動制御装置（３３，３５）に伝達される、請求項１記載のスタッキングコンパートメント。
【請求項３】
前記押しユニット（３４）の駆動装置（３５）が制御され、スタッキングコンパートメント（２３）の開放端部にて該押しユニット（３４）、ひいては郵便物スタックに加速力が生ぜしめられ、該加速力が郵便物（２）の慣性と郵便物間の摩擦とに基づいて、郵便物スタックがスタッキングベース（３１）の端部を越えて移動する間及び郵便物スタックが受取装置（２４，３６）の上に落下する間、郵便物スタックの内部に著しいフォーメーション変化が許されないようになっている。請求項１記載の細いスタッキングコンパートメント。
【請求項４】
並んで位置する複数のスタッキングコンパートメント（２３）のために、受取装置（２４，３６）として、スタッキングコンパートメント（２３）を空にする方向で垂直な位置から傾斜させられた区分搬送コンベア（２４）が、郵便物スタックを走出ユニットへ搬送するために設けられており、前記区分搬送コンベア（２４）の下方の側方制限部に、幅の狭まい搬送路（３６）がほぼ９０°の角度だけ傾けられて配置されており、該搬送路（３６）に郵便物（２）が狭幅側で支えられており、前記区分搬送コンベア（２４）が、すべてのスタッキングコンパートメント（２３）が空にされるまで静止させられるようになっており、各スタッキングコンパートメント（２３）に１つの区分が対応配置されており、すべてのスタッキングコンパートメント（２３）が空にされたあとで前記区分コンベア（２４）が移動させられる、請求項１記載のスタッキングコンパートメント。
【国際調査報告】
2006516471.tif 000006
2006516471.tif 000007
2006516471.tif 000008
2006516471.tif 000009
2006516471.tif 000010
2006516471.tif 000011